(57)【特許請求の範囲】
【請求項１】
画像形成装置であって、
電子文書を表示する表示手段と、
前記電子文書の部分領域であって特定の項目に分類される部分領域である特定項目領域を、確認作業の対象候補領域として前記電子文書から抽出する抽出手段と、
前記対象候補領域の中から前記確認作業の対象領域を決定する決定手段と、
前記確認作業に関する確認指示入力を受け付ける受付手段と、
前記確認指示入力に応答して、前記対象領域を拡大および／または強調して前記表示手段に表示する表示制御手段と、
を備え、
前記決定手段は、確認すべき領域の概略位置を指定する位置指定入力に応答して、前記概略位置の所定範囲内に存在する前記対象候補領域の中から、所定の優先順位に従って、最も高い優先順位を有する種類に属する対象候補領域を前記対象領域として決定することを特徴とする画像形成装置。
【請求項２】
請求項１に記載の画像形成装置において、
前記抽出手段は、前記電子文書に含まれる前記特定項目領域であって、ページ番号領域、タイトル領域、見出し領域および日付領域の少なくとも１つを含む前記特定項目領域を、前記対象候補領域として抽出することを特徴とする画像形成装置。
【請求項３】
請求項１に記載の画像形成装置において、
前記抽出手段は、前記電子文書に含まれる画像領域を前記対象候補領域として抽出することを特徴とする画像形成装置。
【請求項４】
請求項１から請求項３のいずれかに記載の画像形成装置において、
前記抽出手段は、前記表示手段に第１の時点で表示されている１または複数の電子文書から対象候補領域を抽出し、
前記表示制御手段は、前記確認指示入力に応答して、前記第１の時点よりも後の第２の時点で前記対象領域を拡大および／または強調して表示することを特徴とする画像形成装置。
【請求項５】
請求項１から請求項４のいずれかに記載の画像形成装置において、
前記表示制御手段は、前記対象領域をその先頭部分を含む状態で拡大表示することを特徴とする画像形成装置。
【請求項６】
画像形成装置に内蔵されたコンピュータに、
ａ）電子文書を前記画像形成装置の表示手段に表示するステップと、
ｂ）前記電子文書の部分領域であって特定の項目に分類される部分領域である特定項目領域を、確認作業の対象候補領域として前記電子文書から抽出するステップと、
ｃ）前記対象候補領域の中から前記確認作業の対象領域を決定するステップと、
ｄ）前記確認作業に関する確認指示入力を受け付けるステップと、
ｅ）前記確認指示入力に応答して、前記対象領域を拡大および／または強調して前記表示手段に表示するステップと、
を実行させるためのプログラムであって、
前記ステップｃ）においては、確認すべき領域の概略位置を指定する位置指定入力に応答して、前記概略位置の所定範囲内に存在する前記対象候補領域の中から、所定の優先順位に従って、最も高い優先順位を有する種類に属する対象候補領域が前記対象領域として決定されることを特徴とするプログラム。
【請求項７】
請求項６に記載のプログラムにおいて、
前記ステップｂ）においては、前記電子文書に含まれる前記特定項目領域であって、ページ番号領域、タイトル領域、見出し領域および日付領域の少なくとも１つを含む前記特定項目領域が、前記対象候補領域として抽出されることを特徴とするプログラム。
【請求項８】
請求項６に記載のプログラムにおいて、
前記ステップｂ）においては、前記電子文書に含まれる画像領域が前記対象候補領域として抽出されることを特徴とするプログラム。
【請求項９】
請求項６から請求項８のいずれかに記載のプログラムにおいて、
前記ステップｂ）においては、前記表示手段に第１の時点で表示されている１または複数の電子文書から対象候補領域が抽出され、
前記ステップｅ）においては、前記確認指示入力に応答して、前記第１の時点よりも後の第２の時点で前記対象領域が拡大および／または強調して表示されることを特徴とするプログラム。
【請求項１０】
請求項６から請求項９のいずれかに記載のプログラムにおいて、
前記ステップｅ）においては、前記対象領域が、その先頭部分を含む状態で拡大表示されることを特徴とするプログラム。
【発明の詳細な説明】
【技術分野】
【０００１】
本発明は、ＭＦＰ（マルチ・ファンクション・ペリフェラル（Multi-Functional Peripheral））などの画像形成装置およびそれに関連する技術に関する。
【背景技術】
【０００２】
画像形成装置のタッチパネルにおいて、文書データに関するプレビュー画像等を表示する技術が存在する。
【０００３】
また、画像形成装置に係る技術ではないが、特許文献１には、カーナビゲーションシステムのタッチパネルにおいて、ユーザによってタッチされた箇所（被タッチ箇所）を中心に地図を拡大表示する技術が記載されている。
【先行技術文献】
【特許文献】
【０００４】
【特許文献１】特開２０１１−１４１３４０号公報
【特許文献２】特開２０１０−０７２８４２号公報
【発明の概要】
【発明が解決しようとする課題】
【０００５】
特許文献１の技術を応用すると次のような技術が考えられる。具体的には、画像形成装置のタッチパネルにおいて、電子文書のプレビュー画像の表示中にタッチパネルに対するタッチ操作が行われると、被タッチ箇所を中心にプレビュー画像を拡大表示する技術が考えられる。
【０００６】
しかしながら、このような技術を用いたとしても、必ずしもユーザが確認したい箇所が拡大表示されるとは限らず、ユーザが確認したい箇所を電子文書の中から探し出すことも容易ではない。
【０００７】
なお、上記特許文献２においては、スキャン画像からタイトル領域、見出し領域などの特定の項目（タイトル等）に分類される領域（特定項目領域とも称される）を抽出して表示する技術が記載されている。また、抽出された領域が枠で囲われて表示されることも記載されている。さらに、抽出された領域が拡大表示されることも記載されている。
【０００８】
ただし、この特許文献２においては、特定項目領域が抽出された時点でこのような枠囲み表示あるいは拡大表示が常に行われる。換言すれば、ユーザが通常の表示等を望む場合であっても、枠囲み表示あるいは拡大表示が強制的に行われてしまう。
【０００９】
そこで、この発明は、電子文書に関してユーザが確認したい箇所を、ユーザの所望のタイミングで画像形成装置の表示手段に容易に表示させることが可能な技術を提供することを課題とする。
【課題を解決するための手段】
【００１０】
上記課題を解決すべく、請求項１の発明は、画像形成装置であって、電子文書を表示する表示手段と、前記電子文書の部分領域であって特定の項目に分類される部分領域である特定項目領域を、確認作業の対象候補領域として前記電子文書から抽出する抽出手段と、前記対象候補領域の中から前記確認作業の対象領域を決定する決定手段と、前記確認作業に関する確認指示入力を受け付ける受付手段と、前記確認指示入力に応答して、前記対象領域を拡大および／または強調して前記表示手段に表示する表示制御手段と、を備え、前記決定手段は、確認すべき領域の概略位置を指定する位置指定入力に応答して、前記概略位置の所定範囲内に存在する前記対象候補領域の中から、所定の優先順位に従って、最も高い優先順位を有する種類に属する対象候補領域を前記対象領域として決定することを特徴とする。
【００１２】
請求項２の発明は、請求項１の発明に係る画像形成装置において、前記抽出手段は、前記電子文書に含まれる前記特定項目領域であって、ページ番号領域、タイトル領域、見出し領域および日付領域の少なくとも１つを含む前記特定項目領域を、前記対象候補領域として抽出することを特徴とする。
【００１３】
請求項３の発明は、請求項１の発明に係る画像形成装置において、前記抽出手段は、前記電子文書に含まれる画像領域を前記対象候補領域として抽出することを特徴とする。
【００１８】
請求項４の発明は、請求項１から請求項３のいずれかの発明に係る画像形成装置において、前記抽出手段は、前記表示手段に第１の時点で表示されている１または複数の電子文書から対象候補領域を抽出し、前記表示制御手段は、前記確認指示入力に応答して、前記第１の時点よりも後の第２の時点で前記対象領域を拡大および／または強調して表示することを特徴とする。
請求項５の発明は、請求項１から請求項４のいずれかの発明に係る画像形成装置において、前記表示制御手段は、前記対象領域をその先頭部分を含む状態で拡大表示することを特徴とする。
【００２２】
請求項６の発明は、画像形成装置に内蔵されたコンピュータに、ａ）電子文書を前記画像形成装置の表示手段に表示するステップと、ｂ）前記電子文書の部分領域であって特定の項目に分類される部分領域である特定項目領域を、確認作業の対象候補領域として前記電子文書から抽出するステップと、ｃ）前記対象候補領域の中から前記確認作業の対象領域を決定するステップと、ｄ）前記確認作業に関する確認指示入力を受け付けるステップと、ｅ）前記確認指示入力に応答して、前記対象領域を拡大および／または強調して前記表示手段に表示するステップと、を実行させるためのプログラムであって、前記ステップｃ）においては、確認すべき領域の概略位置を指定する位置指定入力に応答して、前記概略位置の所定範囲内に存在する前記対象候補領域の中から、所定の優先順位に従って、最も高い優先順位を有する種類に属する対象候補領域が前記対象領域として決定されることを特徴とする。
請求項７の発明は、請求項６の発明に係るプログラムにおいて、前記ステップｂ）においては、前記電子文書に含まれる前記特定項目領域であって、ページ番号領域、タイトル領域、見出し領域および日付領域の少なくとも１つを含む前記特定項目領域が、前記対象候補領域として抽出されることを特徴とする。
請求項８の発明は、請求項６の発明に係るプログラムにおいて、前記ステップｂ）においては、前記電子文書に含まれる画像領域が前記対象候補領域として抽出されることを特徴とする。
請求項９の発明は、請求項６から請求項８のいずれかの発明に係るプログラムにおいて、前記ステップｂ）においては、前記表示手段に第１の時点で表示されている１または複数の電子文書から対象候補領域が抽出され、前記ステップｅ）においては、前記確認指示入力に応答して、前記第１の時点よりも後の第２の時点で前記対象領域が拡大および／または強調して表示されることを特徴とする。
請求項１０の発明は、請求項６から請求項９のいずれかの発明に係るプログラムにおいて、前記ステップｅ）においては、前記対象領域が、その先頭部分を含む状態で拡大表示されることを特徴とする。
【発明の効果】
【００２３】
請求項１から請求項１０に記載の発明によれば、電子文書に関してユーザが確認したい箇所を、ユーザの所望のタイミングで画像形成装置の表示手段に容易に表示させることが可能である。
【図面の簡単な説明】
【００２４】
【図１】電子文書の或るページを示す図である。
【図２】画像形成装置の概略構成を示す機能ブロック図である。
【図３】第１実施形態に係る動作を示すフローチャートである。
【図４】或る電子文書のページ構成を示す図である。
【図５】タッチパネルにおける或る時点での表示内容を示す図である。
【図６】第１ページのページ番号領域が拡大されている様子を示す図である。
【図７】第１ページのタイトル領域が拡大されている様子を示す図である。
【図８】第１ページの見出し領域が拡大されている様子を示す図である。
【図９】第２ページのページ番号領域が拡大されている様子を示す図である。
【図１０】第２ページの見出し領域が拡大されている様子を示す図である。
【図１１】１つ目の電子文書を示す図である。
【図１２】２つ目の電子文書を示す図である。
【図１３】３つ目の電子文書を示す図である。
【図１４】４つ目の電子文書を示す図である。
【図１５】４つの電子文書が水平方向に配列されてプレビュー表示されている様子を示す図である。
【図１６】第２実施形態の或るステップの詳細動作を示すフローチャートである。
【図１７】１つ目の電子文書のタイトル領域が拡大されている様子を示す図である。
【図１８】３つ目の電子文書のタイトル領域が拡大されている様子を示す図である。
【図１９】タッチパネル内におけるダブルタップ位置を示す図である。
【図２０】１つ目の電子文書のタイトル領域が拡大されている様子を示す図である。
【図２１】指定位置に近い部分が拡大表示されている様子を示す図である。
【図２２】ページ番号領域がポップアップ表示される様子を示す図である。
【図２３】タイトル領域の文字を太字に変更する強調処理が施されている様子を示す図である。
【発明を実施するための形態】
【００２５】
以下、本発明の実施形態を図面に基づいて説明する。
【００２６】
＜１．第１実施形態＞
＜１−１．構成＞
図１は、電子文書ＤＥの或るページを示す図である。また、図２は、画像形成装置１０の概略構成を示す機能ブロック図である。画像形成装置１０は、ここでは、ＭＦＰ（マルチ・ファンクション・ペリフェラル（Multi-Functional Peripheral））として構成されている。
【００２７】
図２の機能ブロック図に示すように、ＭＦＰ１０は、画像読取部２、印刷出力部３、通信部４、格納部５、入出力部６およびコントローラ９等を備えており、これらの各部を複合的に動作させることによって、各種の機能を実現する。
【００２８】
画像読取部２は、ＭＦＰ１０の所定の位置に載置された原稿を光学的に読み取って、当該原稿の画像データ（原稿画像とも称する）を生成する処理部である。この画像読取部２は、スキャン部であるとも称される。
【００２９】
印刷出力部３は、印刷対象に関するデータに基づいて紙などの各種の媒体に画像を印刷出力する出力部である。
【００３０】
通信部４は、公衆回線等を介したファクシミリ通信を行うことが可能な処理部である。さらに、通信部４は、通信ネットワークを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用される。当該ネットワーク通信を利用することによって、ＭＦＰ１０は、所望の相手先との間で各種のデータを授受することが可能である。また、ＭＦＰ１０は、この通信部４を用いて、電子メールの送受信を行うことも可能である。
【００３１】
格納部５は、ハードディスクドライブ（ＨＤＤ）等の記憶装置で構成される。格納部５は、複数のボックス（フォルダ）を有している。各ボックスは、電子文書ＤＥ等を格納するフォルダ領域（電子文書格納部）として利用される。
【００３２】
入出力部６は、ＭＦＰ１０に対する入力を受け付ける操作入力部６ａと、各種情報の表示出力を行う表示部６ｂとを備えている。詳細には、ＭＦＰ１０には操作パネル部２０が設けられており、当該操作パネル部２０にはタッチスクリーン（タッチパネルとも称する）２５（図５等参照）が設けられている。このタッチパネル２５は、液晶表示パネルに圧電センサ等が埋め込まれて構成されており、表示部６ｂの一部として機能するとともに、操作入力部６ａの一部としても機能する。
【００３３】
コントローラ９は、ＭＦＰ１０に内蔵され、ＭＦＰ１０を統括的に制御する制御装置である。コントローラ９は、ＣＰＵおよび各種の半導体メモリ（ＲＡＭおよびＲＯＭ等）等を備えるコンピュータシステムとして構成される。コントローラ９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。
【００３４】
具体的には、図２に示すように、コントローラ９は、データ取得部１１と抽出部１２と決定部１４と表示制御部１５とを含む各種の処理部を実現する。
【００３５】
データ取得部１１は、電子文書ＤＥのデータを取得する処理部である。データ取得部１１は、たとえば、特定フォルダ内の各電子文書ＤＥのデータを取得する。電子文書ＤＥは、ＰＤＦ（Portable Document Format ）形式データなどの汎用性の高い文書データとして構成されてもよく、各種のワープロソフトに固有のデータ形式の文書データとして構成されてもよい。あるいは、電子文書ＤＥは、ＪＰＥＧ形式等の画像データ（特にスキャン画像データ等）として構成されていてもよい。
【００３６】
抽出部１２は、電子文書ＤＥの特徴領域（後述）を抽出する処理部である。当該特徴領域は、電子文書ＤＥに関する確認作業の対象候補領域ＣＲ（後述）として抽出される。
【００３７】
決定部１４は、対象候補領域ＣＲの中から確認作業の対象領域ＢＲ（後述）を決定する処理部である。
【００３８】
表示制御部１５は、操作入力部６ａによって受け付けられた指示入力（確認作業に関する確認指示入力ＣＰ）に応答して、対象領域ＢＲを拡大（および／または強調）して表示部６ｂに表示する処理部である。
【００３９】
＜１−２．動作＞
ここでは、ＭＦＰ１０内に格納されている電子文書ＤＥがタッチパネル２５にプレビュー表示されている状況を想定する。具体的には、ページ編集メニュー（ページ入れ替え及び／又はページ削除等を含む処理メニュー）が実行される際に、電子文書ＤＥがプレビュー表示されている状況が例示される（図５参照）。
【００４０】
画像形成装置１０は、たとえば、印刷対象の電子文書ＤＥのプレビュー画像をタッチパネル２５に表示する。詳細には、図５に示すように、或る電子文書ＤＥの複数のページが表示される。図５においては、或る電子文書ＤＥ（図４参照）の全６ページＰＧ１〜ＰＧ６のうち、４つのページＰＧ１，ＰＧ２，ＰＧ３，ＰＧ４が、左から順に水平方向に配列されてタッチパネル２５に表示されている様子が示されている。
【００４１】
この実施形態においては、タッチパネル２５において或るページに対応する表示部分を操作者がダブルタップすると、当該ページに関する確認作業の対象領域ＢＲが拡大表示される。具体的には、当該ページの特徴領域（たとえば第１ページＰＧ１のページ番号領域ＲＰ）が当該ページに関する確認作業の対象領域ＢＲとして決定されて拡大表示される（図６参照）。
【００４２】
図３は、このような動作を示すフローチャートである。以下では、図３を参照しながら、当該動作について詳細に説明する。
【００４３】
ステップＳ１１においては、ＭＦＰ１０内の特定のボックス（フォルダ）に格納された電子文書ＤＥの全ページに対する抽出処理が施される。この抽出処理によって、電子文書ＤＥの特徴領域が、電子文書ＤＥに関する確認作業の対象候補領域ＣＲとして抽出される。
【００４４】
詳細には、まず、各ページに含まれる文字領域と画像領域とが分離抽出される。画像領域は、対応ページの特徴領域として抽出される。また、文字領域内において特定の項目に分類される領域（以下、特定項目領域とも称する）も特徴領域として抽出される。特定項目領域としては、たとえば、ページ番号領域ＲＰ、タイトル領域ＲＴ、見出し領域ＲＨおよび日付領域ＲＤ（図１参照）等が例示される。また、画像領域も、当該ページにおける特定項目領域であると表現され得る。各領域が特定項目領域（特徴領域）に該当するか否かは、その領域の種類ごとに予め定められればよい。なお、ここでは、文字領域のうち本文内容を記述する領域（本文記述領域）ＲＡは特徴領域としては抽出されないものとする。
【００４５】
なお、ページ内の各種の領域は、その特質に基づいて分類されればよい。たとえば、ページ内の特定位置（具体的には、下部中央あるいは上部中央等）に存在し且つ特定書式の数字（たとえば、数字単独の数字列、ハイフン記号（−）で挟まれた数字列あるいはスラッシュ記号（／）に挟まれた数字列等）を含む領域が、ページ番号領域ＲＰとして分類されればよい。また、ページ内の特定位置（具体的には、上部中央あるいは上部左側）に存在する文字列を含む領域は、タイトル領域ＲＴとして分類されればよい。さらに、ページ内の左端側から始まる（所定長以下の）文字列を含む領域は見出し領域ＲＨとして分類されればよい。また、ページ内の特定位置（具体的には、上部側右端）に存在する特定書式（ＹＹＹＹ／ＭＭ／ＤＤ等）で記載された数字列は日付領域ＲＤとして特定されればよい。このようにして、各領域は複数の種類の項目に分類される。
【００４６】
ここで、各ページの文字領域内における特定項目領域（ページ番号領域ＲＰ、タイトル領域ＲＴ、見出し領域ＲＨおよび日付領域ＲＤ等）は、電子文書ＤＥの部分領域であって特定の項目（「ページ番号」、「タイトル」、「見出し」および「日付」）に分類される部分領域であるとも表現される。また、各ページの画像領域も、電子文書ＤＥの部分領域であって特定の項目（画像（より詳細には、写真、図、表、グラフ））に分類される部分領域であるとも表現される。
【００４７】
図１においては、電子文書ＤＥの第１ページＰＧ１に含まれる各種の項目領域（ページ番号領域ＲＰ、タイトル領域ＲＴ、見出し領域ＲＨ（ＲＨ１，ＲＨ２）、日付領域ＲＤ、本文記述領域ＲＡ）が示されている。上述のように、ステップＳ１１においては、これらのうちの一部の特定項目領域（具体的には、ページ番号領域ＲＰ、タイトル領域ＲＴ、見出し領域ＲＨ等）が対象候補領域ＣＲとして抽出される。一方、本文記述領域ＲＡは、対象候補領域ＣＲとしては抽出されない。なお、第２ページ以降についても同様に、各ページの特定項目領域のみが対象候補領域ＣＲとして抽出される。
【００４８】
また、上述のように、この時点では、電子文書ＤＥ内の４つのページＰＧ１〜ＰＧ４がタッチパネル２５にプレビュー表示されている（図５参照）。
【００４９】
このような状態（図５参照）において、ユーザは、タッチパネル２５における所望のページの表示領域をダブルタップすることによって、当該ページに関する確認指示入力ＣＰを付与する。
【００５０】
ステップＳ１３においては、確認指示入力ＣＰが受け付けられたか否かが判定され、その判定結果に基づく分岐処理が行われる。確認指示入力ＣＰが受け付けられていないと判定される場合には、ステップＳ１９に進む。一方、確認指示入力ＣＰが受け付けられたと判定される場合には、ステップＳ１６に進む。
【００５１】
ステップＳ１６においては、確認指示入力ＣＰに応答して、対象候補領域ＣＲの中から、確認作業の対象領域ＢＲが決定される。具体的には、複数の種類の特徴領域（項目領域）の相互間における優先順位（次述）に従って対象領域ＢＲが決定される。
【００５２】
ここでは、複数の種類の特徴領域のうち、ページ番号領域ＲＰが第１順位を有し、タイトル領域ＲＴが第２順位を有し、見出し領域ＲＨが第３順位を有する旨の優先順位が予め規定されているものとする。そして、このような優先順位にしたがって、各ページ内の複数の種類の特徴領域の中から、対象領域ＢＲが決定される。具体的には、１回目の確認指示入力ＣＰに対しては、最高順位の特徴領域（ここではページ番号領域ＲＰ）が対象領域ＢＲとして決定される。また、２回目の確認指示入力ＣＰに対しては、次順位の特徴領域（ここではタイトル領域ＲＴ）が対象領域ＢＲとして決定される。さらに、３回目の確認指示入力ＣＰに対しては、その次の順位の特徴領域（ここでは見出し領域ＲＨ）が対象領域ＢＲとして決定される。
【００５３】
そして、ステップＳ１７においては、ステップＳ１６で決定された対象領域ＢＲがタッチパネル２５において拡大表示される。対象領域ＢＲは所定の拡大倍率（たとえば４００％）で拡大されればよい。
【００５４】
たとえば、或るページに対する１回目の確認指示入力ＣＰが受け付けられた場合には、最も高い順位の特徴領域（たとえばページ番号領域ＲＰ）が対象領域ＢＲとして決定され（ステップＳ１６）、当該対象領域ＢＲが拡大表示される（ステップＳ１７）。図６は、１回目の確認指示入力ＣＰに応答して、最高順位の特徴領域（ここではページ番号領域ＲＰ、より詳細にはページ番号「−１−」）がタッチパネル２５内のページＰＧ１用の表示領域に拡大表示されている様子を示している。
【００５５】
その後、ステップＳ１９（終了判定処理）に進む。
【００５６】
ステップＳ１９において終了すべき旨が判定されると本ルーチンは終了する。
【００５７】
一方、ステップＳ１９において終了すべき旨が判定されない場合には、再びステップＳ１３に戻る。そして、ステップＳ１３，Ｓ１６，Ｓ１７の動作が繰り返し実行される。
【００５８】
たとえば、同一ページに対する２回目の確認指示入力ＣＰが受け付けられた場合には、次順位の特徴領域（たとえばタイトル領域ＲＴ）が対象領域ＢＲとして決定され（ステップＳ１６）、当該対象領域ＢＲが拡大表示される（ステップＳ１７）。図７は、２回目の確認指示入力ＣＰに応答して、第２順位の特徴領域（ここではタイトル領域ＲＴ、より詳細には、文書のタイトル「＊＊＊（タイトル名称）」）がタッチパネル２５内のページＰＧ１用の表示領域に拡大表示されている様子を示す図である。
【００５９】
同様に、同一ページに対する３回目の確認指示入力ＣＰが受け付けられた場合には、ステップＳ１６でその次の順位の特徴領域（たとえば見出し領域ＲＨ）が対象領域ＢＲとして決定され、ステップＳ１７で当該対象領域ＢＲが拡大表示される。図８は、３回目の確認指示入力ＣＰに応答して、第３順位の特徴領域（ここでは見出し領域ＲＨ、より詳細には、文書の見出し「＊＊＊（見出し名称）」）がタッチパネル２５内のページＰＧ１用の表示領域に拡大表示されている様子を示す図である。
【００６０】
また、異なるページ（たとえば第２ページＰＧ２）に対する１回目の確認指示入力ＣＰが受け付けられた場合には、当該ページＰＧ２内における最高順位の特徴領域（たとえばページ番号領域ＲＰ）が対象領域ＢＲとして決定され（ステップＳ１６）、当該対象領域ＢＲが拡大表示される（ステップＳ１７）。図９は、第２ページＰＧ２に対する１回目の確認指示入力ＣＰに応答して、第１順位の特徴領域（ここではページ番号領域ＲＰ、より詳細にはページ番号「−２−」）がタッチパネル２５内のページＰＧ２用の表示領域に拡大表示されている様子を示す図である。
【００６１】
さらに、当該ページ（たとえば第２ページＰＧ２）に対する２回目の確認指示入力ＣＰが受け付けられた場合には、当該ページＰＧ２内に存在する次の順位の特徴領域（たとえば見出し領域ＲＨ）が対象領域ＢＲとして決定され（ステップＳ１６）、当該対象領域ＢＲが拡大表示される（ステップＳ１７）。ここでは、第２ページＰＧ２にはタイトル領域ＲＴが存在しないため、第２ページＰＧ２内におけるタイトル領域ＲＴの次の順位の特徴領域として見出し領域ＲＨが抽出される。図１０は、第２ページＰＧ２に対する２回目の確認指示入力ＣＰに応答して、第３順位の特徴領域（ここでは見出し領域ＲＨ）がタッチパネル２５内のページＰＧ２用の表示領域に拡大表示されている様子を示す図である。
【００６２】
なお、各対象領域ＢＲの拡大表示後においては、引き続くドラッグ操作に応答して拡大状態のまま表示対象領域の移動操作（すなわちスライド表示）等を行うことも可能であり、拡大表示箇所の近傍の文章を視認することなども可能である。
【００６３】
以上のような動作によれば、ユーザによる確認指示入力ＣＰに応答して、各ページの特徴領域が拡大されてタッチパネル２５に表示される。したがって、電子文書に関してユーザが確認したい箇所を、ユーザの所望のタイミングで画像形成装置１０のタッチパネル２５に容易に表示させることが可能である。
【００６４】
特に、タッチパネル２５の解像度が十分ではなくタッチパネル２５における４つのプレビュー表示画像（拡大前の画像）が視認しにくい場合においても、プレビュー表示画像に関する適宜の対象領域ＢＲが拡大表示される。そのため、ユーザは確認作業の対象領域の内容を容易に確認することが可能である。
【００６５】
また、予め定められた優先順位に従って確認作業の対象領域がＭＦＰ１０によって自動的に決定されるので、ユーザが拡大領域の選択操作（指定操作）を行わなくても、ユーザが本来的に確認したい領域が比較的早い時点で拡大表示される可能性を高めることが可能である。
【００６６】
また、ユーザによる確認指示入力ＣＰが受け付けられるごとに、同一ページ内の複数の特徴領域が順次に拡大表示される。したがって、ユーザは、同一ページ内の複数の種類の特徴領域を容易に確認することが可能である。特に、当該複数の種類の特徴領域が所定の優先順位で表示されるので、確認の必要度等に基づいて、各種の特徴領域を適切に確認することが可能である。
【００６７】
さらに、複数のページがタッチパネル２５に配列表示されている際において、ユーザが各ページに対する確認指示入力ＣＰを付与して各ページのページ番号領域ＲＰを拡大表示させることによれば、ユーザは複数のページ（ＰＧ１〜ＰＧ６）のページ順序等を容易に確認することが可能である。
【００６８】
＜２．第２実施形態＞
第２実施形態は、第１実施形態の変形例である。以下、第１実施形態との相違点を中心に説明する。
【００６９】
上記第１実施形態においては、１つの電子文書ＤＥ内の複数のページがタッチパネル２５に表示されている態様が例示されている。
【００７０】
この第２実施形態においては、複数の電子文書ＤＥがタッチパネル２５に表示される態様を例示する。ここでは、それぞれ単一のページで構成される４つの電子文書ＤＥがタッチパネル２５に一度に表示される（図１５参照）。図１５では、タッチパネル２５においてこれら４つの電子文書ＤＥ１〜ＤＥ４が左端側から右端側へと水平方向に配列されて表示されている様子が示されている。また、図１１〜図１４は、１つ目の電子文書ＤＥ（ＤＥ１）、２つ目の電子文書ＤＥ（ＤＥ２）、３つ目の電子文書ＤＥ（ＤＥ３）、４つ目の電子文書ＤＥ（ＤＥ４）をそれぞれ示す図である。なお、これらの図１１〜図１５では、各電子文書ＤＥの先頭ページ且つ最後尾ページである「第１ページ」がタッチパネル２５に表示されている様子がそれぞれ示されている。
【００７１】
第２実施形態においても、第１実施形態と同様の動作が実行される。ただし、第２実施形態の動作は、特にステップＳ１６において第１実施形態の動作と異なる。図１６は、第２実施形態のステップＳ１６（Ｓ１６ｂ）の詳細動作を示すフローチャートである。図１６を参照しながら、第２実施形態に係る動作について説明する。
【００７２】
まず、ステップＳ２１では、確認作業対象の電子文書ＤＥ（ユーザによってダブルタップされた電子文書ＤＥ（たとえばＤＥ１））における或る種類の特徴領域が、複数の種類の特徴領域の相互間における優先順位に基づいて仮に選択される。たとえば、最初は、第１順位の特徴領域であるページ番号領域ＲＰが選択される。
【００７３】
次のステップＳ２２では、ステップＳ２１で選択された特徴領域と他の電子文書ＤＥ（ＤＥ２，ＤＥ３，ＤＥ４）における対応特徴領域との差分が抽出される。たとえば、電子文書ＤＥ１のページ番号領域ＲＰと、他の電子文書ＤＥ２，ＤＥ３，ＤＥ４における各対応特徴領域（各ページ番号領域ＲＰ）との差分がそれぞれ抽出される。なお、ステップＳ２２では、対応特徴領域が他の電子文書ＤＥ２，ＤＥ３，ＤＥ４に存在しない場合（たとえば同じ位置に対応特徴領域が存在しない場合）には、差分抽出処理は行われず、差分は存在しないものと認定する。
【００７４】
ステップＳ２３では、ステップＳ２２での差分抽出処理結果に応じた分岐処理が行われる。
【００７５】
差分（差異点）が存在する場合には、ステップＳ２４に進む。ステップＳ２４では、差分が存在すると判定された特徴領域が対象領域ＢＲに決定される。そして、ステップＳ１７（図３）に進み、当該対象領域ＢＲがタッチパネル２５に拡大表示される。
【００７６】
一方、差分（差異点）が存在しない場合には、次の優先順位の特徴領域を考慮すべく、ステップＳ２１に戻る。そして、当該次の順位の特徴領域に関してステップＳ２１〜Ｓ２３の処理が実行される。
【００７７】
以上のような処理によれば、たとえば、図１５のような画面がタッチパネル２５に表示されている状態において、ユーザが左端の電子文書ＤＥ１の表示部分をダブルタップすると、図１７のような画面が表示される。具体的には、電子文書ＤＥ１の第１ページにおける第２順位の特徴部分であるタイトル領域ＲＴ（「２０１１年第１四半期...」）が拡大表示される。
【００７８】
詳細には、ステップＳ１３で確認指示入力ＣＰが受け付けられた旨が判定されると、ステップＳ１６に進み、電子文書ＤＥ１の第１ページ内の対象領域ＢＲが決定される。ステップＳ１６では、まず、電子文書ＤＥ１の第１順位のページ番号領域ＲＰと他の電子文書ＤＥ２〜ＤＥ４の対応領域（ページ番号領域ＲＰ）との差分抽出処理がそれぞれ行われる（ステップＳ２１，Ｓ２２）。４つの電子文書ＤＥ１〜ＤＥ４のそれぞれのページ番号領域ＲＰは、互いに同じ内容（「−１−」）を有しているため、差分が抽出されず、差異点が存在しない旨が判定される（ステップＳ２３）。なお、確認対象文書の対象領域ＢＲに対応する対応領域は、その属性（具体的には、文字領域属性、画像領域属性）および／またはそのページ内位置（レイアウト情報とも称される）（具体的には、下部中央、下部左側、上部右側等）に基づいて、参照文書の中から抽出されればよい。たとえば、対象領域ＢＲと同じ属性（文字領域属性）を有し且つ同じページ内位置（下部中央）を有する領域（ページ番号領域ＲＰ）が、対象領域ＢＲに対応する対応領域として、参照文書の中から抽出されればよい。なお、各文字領域内の文字情報（テキストデータ）としては、電子文書ＤＥ内に元々内包されていたデータが利用されるようにしてもよく、あるいは、ＯＣＲ処理（光学的文字認識処理）を伴って電子文書ＤＥから抽出されたデータが利用されるようにしてもよい。
【００７９】
次に、電子文書ＤＥ１の第２順位のタイトル領域ＲＴと他の電子文書ＤＥ２〜ＤＥ４の対応領域（タイトル領域ＲＴ）との差分抽出処理がそれぞれ行われる（ステップＳ２１，Ｓ２２）。電子文書ＤＥ１のタイトル領域ＲＴ（ＲＴ１）（「２０１１年第１四半期...」）は、少なくとも電子文書ＤＥ２のタイトル領域ＲＴ（ＲＴ２）（「２０１１年第２四半期...」）と異なっているため、差分が抽出され、差異差異点が存在する旨が判定される（ステップＳ２３）。そして、電子文書ＤＥ１のタイトル領域ＲＴ（「２０１１年第１四半期...」）が、対象領域ＢＲに決定され（ステップＳ２４）るとともにタッチパネル２５の電子文書ＤＥ１の表示部分に拡大表示される（図１７）。
【００８０】
このように、複数の電子文書ＤＥ１〜ＤＥ４のうちの一の電子文書ＤＥ１に関する確認作業の対象候補領域であるタイトル領域ＲＴ１と、複数の電子文書のうちの他の電子文書（たとえばＤＥ２）においてタイトル領域ＲＴ１に対応する領域であるタイトル領域ＲＴ２との相違部分が検出されることを条件に、タイトル領域ＲＴ１が対象領域ＢＲとして決定される。
【００８１】
その他の電子文書ＤＥ２〜ＤＥ４に関する確認作業についても同様である。
【００８２】
たとえば、図１７のような画面がタッチパネル２５に表示されている状態において、ユーザが電子文書ＤＥ３の表示部分をダブルタップすると、図１８のような画面が表示される。具体的には、電子文書ＤＥ３の第１ページにおける第２順位の特徴部分であるタイトル領域ＲＴ（「２０１１年第３四半期...」）が拡大表示される。
【００８３】
詳細には、ステップＳ１３で確認指示入力ＣＰが受け付けられた旨が判定されると、ステップＳ１６に進み、電子文書ＤＥ３の第１ページ内の対象領域ＢＲが決定される。ステップＳ１６では、まず、電子文書ＤＥ３の第１順位のページ番号領域ＲＰと他の電子文書ＤＥ１，ＤＥ２，ＤＥ４の対応領域（ページ番号領域ＲＰ）との差分抽出処理がそれぞれ行われる（ステップＳ２１，Ｓ２２）。４つの電子文書ＤＥ１〜ＤＥ４のそれぞれのページ番号領域ＲＰは、互いに同じ内容（「−１−」）を有しているため、差分が抽出されず、差異点が存在しない旨が判定される（ステップＳ２３）。次に、電子文書ＤＥ３の第２順位のタイトル領域ＲＴと他の電子文書ＤＥ１，ＤＥ２，ＤＥ４の対応領域（タイトル領域ＲＴ）との差分抽出処理がそれぞれ行われる（ステップＳ２１，Ｓ２２）。電子文書ＤＥ３のタイトル領域ＲＴ（ＲＴ３）（「２０１１年第３四半期...」）は、少なくとも電子文書ＤＥ１のタイトル領域ＲＴ（ＲＴ１）（「２０１１年第１四半期...」）と異なっているため、差分が抽出され、差異差異点が存在する旨が判定される（ステップＳ２３）。そして、電子文書ＤＥ３のタイトル領域ＲＴ（ＲＴ３）（「２０１１年第３四半期...」）が、対象領域ＢＲに決定され（ステップＳ２４）るとともにタッチパネル２５の電子文書ＤＥ３の表示部分に拡大表示される（図１８）。
【００８４】
換言すれば、複数の電子文書ＤＥ１〜ＤＥ４のうちの一の電子文書ＤＥ３に関する確認作業の対象候補領域であるタイトル領域ＲＴ３と、複数の電子文書のうちの他の電子文書（たとえばＤＥ１）においてタイトル領域ＲＴ３に対応する領域であるタイトル領域ＲＴ１との相違部分が検出されることを条件に、タイトル領域ＲＴ３が対象領域ＢＲとして決定される。
【００８５】
なお、この第２実施形態においても、各電子文書から複数の対象候補領域が抽出されている。そして、確認指示入力ＣＰが受け付けられるごとに、当該複数の対象候補領域の中から選択された各領域が順次に対象領域ＢＲとして決定される。より詳細には、確認指示入力ＣＰが受け付けられるごとに、当該複数の対象候補領域の中から所定の優先順位（対象候補領域ＣＲに関する分類種類ごとの優先順位）に基づいて選択された各領域が、対象領域ＢＲとして決定される。
【００８６】
以上のように、この第２実施形態においても、ユーザによる確認指示入力ＣＰに応答して、各ページの特徴領域が拡大されてタッチパネル２５に表示される。したがって、電子文書に関してユーザが確認したい箇所を、ユーザの所望のタイミングで画像形成装置１０のタッチパネル２５に容易に表示させることが可能である。
【００８７】
また特に、複数の電子文書ＤＥがタッチパネル２５に配列表示されている際において、ユーザが各電子文書ＤＥに対する確認指示入力ＣＰを付与して各電子文書ＤＥの特徴領域（タイトル領域ＲＴ等）を拡大表示させることによれば、ユーザは複数の電子文書ＤＥ（ＤＥ１〜ＤＥ４）のタイトル等を容易に確認することが可能である。
【００８８】
なお、この第２実施形態においては、タイトル領域ＲＴ１と同じ種類に分類される領域（同種分類領域）が対応領域として検出される態様が例示されているが、これに限定されない。たとえば、タイトル領域ＲＴ１と同じ種類に分類される領域ではないがタイトル領域ＲＴと同じ位置に存在する領域が、タイトル領域ＲＴ１に対応する領域（対応領域）として検出されるようにしてもよい。換言すれば、ページ内の位置のみに基づいて、或る項目領域に対応する項目領域が検出されるようにしてもよい。
【００８９】
＜３．第３実施形態＞
第３実施形態は、第１実施形態の変形例である。以下、第１実施形態との相違点を中心に説明する。
【００９０】
上記第１実施形態では、タッチパネル２５内のページ画像に対するダブルタップ操作が行われる際に、ページ内の操作位置（タップ位置）にかかわらず当該ページ内の所定の特徴領域が対象領域ＢＲとして拡大表示される態様が例示されている。
【００９１】
この第３実施形態においては、タッチパネル２５内のページ画像に対するダブルタップ操作（確認指示入力ＣＰ）に応答して、当該ダブルタップ操作によるページ内の指定位置（タップ位置）ＤＰの近傍の特徴領域が対象領域ＢＲとして拡大表示される態様を例示する。このようなダブルタップ操作は、確認すべき領域の概略位置ＤＰを指定する位置指定入力であるとも表現される。ユーザは、たとえば、ページ画像内のタイトル領域ＲＴを拡大表示させたいときには、タイトル領域ＲＴの付近をダブルタップすればよい。そして、このような位置指定入力に応答して、当該位置指定入力により指定された概略位置ＤＰの所定範囲（近傍範囲）内に存在する対象候補領域（特徴領域）が対象領域ＢＲとして決定される。
【００９２】
たとえば、図１９において、位置指定入力におけるタップ位置ＤＰの近傍範囲内（位置ＤＰを中心とする半径ｒ１の円領域内）においては、タイトル領域ＲＴのみが存在する。この場合には、タイトル領域ＲＴが対象領域ＢＲとして決定される（図２０参照）。この結果、ページ内の複数の領域のうち指定位置ＤＰの最も近くに存在する対象候補領域が対象領域ＢＲとして決定され、タイトル領域ＲＴがタッチパネル２５内の電子文書ＤＥ１の表示部分に拡大表示される。
【００９３】
なお、この際、図２１に示すように、対象領域ＢＲとして決定されたタイトル領域ＲＴのうち、位置指定入力による指定位置ＤＰに近い部分（たとえば、「四半期決算」）が拡大表示されるようにしてもよい。ただし、図２０に示すように、タイトルの全体を把握等するためには、タイトル領域ＲＴの先頭部分を含む部分がまず拡大表示されることが好ましい。その後、ユーザがタイトル領域ＲＴの非表示部分（後半部分等）を見たいときには、拡大表示されたタイトル部分に対するドラッグ操作に応じて表示対象領域がスライド移動され、ページ内におけるユーザの所望領域（タイトル領域ＲＴの後半部分等）が表示されればよい。なお、横書き文章領域の先頭部分は当該領域の左上位置に対応し、縦書き文書領域の先頭部分は当該領域の右上位置に対応する。
【００９４】
また、位置指定入力により指定された概略位置ＤＰの所定範囲（近傍範囲）内に複数の対象候補領域（特徴領域）が存在する場合には、所定の優先順位に従って対象領域ＢＲが決定されればよい。
【００９５】
たとえば、指定位置ＤＰの所定範囲内に、タイトル領域ＲＴと見出し領域ＲＨとが存在する場合には、或る位置ＤＰを指定した最初のダブルタップ操作（確認指示入力ＣＰ且つ位置指定入力）に対しては、複数の対象候補領域のうち最も高い優先順位を有するタイトル領域ＲＴがまず対象領域ＢＲとして決定されればよい。換言すれば、概略位置ＤＰの所定範囲内に存在する対象候補領域であって最も高い優先順位を有する種類に分類された対象候補領域が対象領域として決定されればよい。
【００９６】
その後、同じ位置ＤＰを指定した２回目のダブルタップ操作（確認指示入力ＣＰ且つ位置指定入力）に対しては、その次に高い優先順位を有する見出し領域ＲＨが対象領域ＢＲとして決定されればよい。
【００９７】
このような態様によれば、ユーザによる確認指示入力ＣＰに応答して、各ページの特徴領域が拡大されてタッチパネル２５に表示される。したがって、電子文書に関してユーザが確認したい箇所を、ユーザの所望のタイミングで画像形成装置１０のタッチパネル２５に容易に表示させることが可能である。特に、位置指定入力によるページ内の指定位置ＤＰにも基づいて対象領域ＢＲが決定されるので、ユーザの意図を反映させ易い。
【００９８】
また、上記の実施形態においては、指定位置ＤＰ自体を中心に拡大表示されるのではなく、指定位置ＤＰの近傍に存在する特徴領域（タイトル領域ＲＴ等）が拡大表示される。指定位置ＤＰ自体を中心に拡大表示が行われる場合には、拡大時における所望の中心位置を正確に指定することを要する。一方、上記実施形態においては概略位置ＤＰの指定操作に応答して当該概略位置の近傍の特徴領域が自動的に拡大表示されるので、高い操作性を得ることが可能である。
【００９９】
なお、この第３実施形態においては、１つの電子文書ＤＥ内の複数のページがタッチパネル２５に表示されている態様が例示されているが、これに限定されない。複数の電子文書ＤＥがタッチパネル２５に表示される場合にも、第３実施形態に係る思想を適用することが可能である。
【０１００】
また、この第３実施形態においては、指定位置ＤＰの所定範囲内に複数の特定項目領域が存在する場合には、複数の特定項目領域の中から所定の優先順位に従って対象領域ＢＲが決定される態様が例示されているが、これに限定されない。たとえば、指定位置（概略位置）ＤＰの最も近くに存在する特定項目領域（対象候補領域ＣＲ）が対象領域ＢＲとして決定されるようにしてもよい。
【０１０１】
＜４．その他＞
以上、この発明の実施の形態について説明したが、この発明は上記説明した内容のものに限定されるものではない。
【０１０２】
たとえば、上記各実施形態においては、確認指示入力ＣＰの入力前に特徴領域が抽出される態様が例示されているが、これに限定されず、確認指示入力ＣＰの入力後に特徴領域が抽出されるようにしてもよい。
【０１０３】
また、上記各実施形態においては、特定のフォルダに格納された電子文書ＤＥの全ページに対する抽出処理が施されている態様が例示されているが、これに限定されない。たとえば、特定のフォルダに格納された電子文書ＤＥのうち、タッチパネル２５に表示中の電子文書ＤＥに対してのみ（特に、タッチパネル２５に表示中のページに対してのみ）抽出処理が施されるようにしてもよい。
【０１０４】
より詳細には、タッチパネル２５に或る時点ＴＰ１で表示されている１または複数の電子文書のみを対象として当該対象の電子文書から対象候補領域ＣＲを抽出する。そして、時点ＴＰ１よりも後の時点ＴＰ２で、確認指示入力ＣＰに応答して、対象領域ＢＲが拡大表示等されるようにしてもよい。
【０１０５】
これによれば、処理対象の電子文書ＤＥをタッチパネル２５に表示されている電子文書ＤＥに絞り込むことにより、処理時間を短縮することが可能である。
【０１０６】
また、上記各実施形態においては、対象領域ＢＲを含むページ画像が、当該対象領域ＢＲを中心に拡大表示される態様が例示されているが、これに限定されない。たとえば、図２２に示すように、ページ番号領域ＲＰ（「−１−」）などの対象領域ＢＲのみがポップアップ表示されるようにしてもよい。換言すれば、プレビュー画像に対して、対象領域ＢＲの拡大画像が重畳表示されるようにしてもよい。
【０１０７】
また、上記各実施形態においては、対象領域ＢＲがタッチパネル２５内の元の表示領域（左右方向においてタッチパネル２５のほぼ１／４程度の大きさの領域）内に拡大表示される態様が例示されているが、これに限定されない。たとえば、確認指示入力ＣＰに応答して、対象領域ＢＲがタッチパネル２５内の全体に亘って拡大表示されるようにしてもよい。
【０１０８】
また、対象領域ＢＲが拡大表示されることに代えて、あるいは、対象領域ＢＲが拡大表示されるとともに、対象領域ＢＲが強調表示（修飾表示）されるようにしてもよい。当該強調表示（修飾表示）としては、文字を太字に変更する処理、文字の表示色を強調色（赤色等）に変更する処理、文字の文字色と背景色とを反転する処理、文字を枠で囲む処理、および文字の点滅表示処理等が例示される。図２３においては、タイトル領域ＲＴ（対象領域ＢＲ）の文字を太字に変更する強調処理が施されている様子が示されている。
【０１０９】
また、上記各実施形態においては、文字領域のうちの特定項目領域が対象領域ＢＲとして抽出される態様が主に例示されているが、これに限定されず、画像領域が対象領域ＢＲとして抽出されるようにしてもよい。より詳細には、画質調整処理用のプレビュー表示において、電子文書ＤＥ内の画像領域（写真、グラフ、図等）が対象領域ＢＲとして抽出されるようにしてもよい。これによれば、当該画像の画質調整結果等を容易に確認することが可能である。なお、画像領域を対象領域ＢＲとして決定する際には、当該画像領域の大きさをも考慮することが好ましい。具体的には、所定程度以上の大きさを有することをも条件として、画像領域を対象領域ＢＲとして決定することが好ましい。
【０１１０】
また、対象領域ＢＲの決定に関する優先順位は、メニュー内容（ページ編集メニュー／画質調整メニュー等）に応じて変更されることが好ましい。たとえば、画質調整メニュー実行の際には、電子文書ＤＥ内の画像領域（写真、グラフ、図等）に対して、文字領域に関する要素よりも高い優先順位が付与されればよい。一方、ページ編集メニュー（ページ入れ替え及び／又はページ削除等を含む処理メニュー）実行の際には、電子文書ＤＥ内の文字領域（特に、ページ番号領域、タイトル領域等）に対して、画像領域等よりも高い優先順位が付与されればよい。
【０１１１】
また、上記各実施形態においては、同一または異なる電子文書ＤＥに関する複数のページが配列されてタッチパネル２５に表示される際に、対象領域ＢＲが拡大表示される態様が例示されているが、これに限定されない。たとえば、単一のページがタッチパネル２５に表示される際に、対象領域ＢＲが拡大表示および／または強調表示されるようにしてもよい（図２３参照）。
【０１１２】
また、タッチパネル２５に表示される電子文書ＤＥは、ＭＦＰ１０内の格納部５に格納されているデータであってもよく、あるいは、ＭＦＰ１０以外の装置からネットワークを介して取得されるデータであってもよい。
【０１１３】
また、上記各実施形態においては、対象領域ＢＲが所定の拡大倍率で拡大される態様が例示されているが、これに限定されない。たとえば、対象領域ＢＲの（文字の）拡大倍率は、拡大前の文字の大きさに基づいて変更されるようにしてもよい。具体的には、対象領域ＢＲ内の文字が拡大後において所定大きさ（たとえば、文字高５ｍｍ相当の文字）に拡大されるように、拡大倍率が変更されるようにしてもよい。たとえば、拡大前にて文字高１ｍｍ相当の文字に対しては５００％の拡大率が適用され、拡大前にて文字高２ｍｍ相当の文字に対しては２５０％の拡大率が適用されればよい。
【符号の説明】
【０１１４】
１０  ＭＦＰ（画像形成装置）
２０  操作パネル部
２５  タッチパネル
ＢＲ  確認処理の対象領域
ＣＲ  対象候補領域
ＤＥ  電子文書
ＤＰ  タップ位置（指定位置）
ＰＧ１，ＰＧ２，ＰＧ３，ＰＧ４  ページ
ＲＡ  本文記述領域
ＲＤ  日付領域
ＲＨ  見出し領域
ＲＰ  ページ番号領域
ＲＴ  タイトル領域
【図１】
0005867253.tif 000002
【図２】
0005867253.tif 000003
【図３】
0005867253.tif 000004
【図４】
0005867253.tif 000005
【図５】
0005867253.tif 000006
【図６】
0005867253.tif 000007
【図７】
0005867253.tif 000008
【図８】
0005867253.tif 000009
【図９】
0005867253.tif 000010
【図１０】
0005867253.tif 000011
【図１１】
0005867253.tif 000012
【図１２】
0005867253.tif 000013
【図１３】
0005867253.tif 000014
【図１４】
0005867253.tif 000015
【図１５】
0005867253.tif 000016
【図１６】
0005867253.tif 000017
【図１７】
0005867253.tif 000018
【図１８】
0005867253.tif 000019
【図１９】
0005867253.tif 000020
【図２０】
0005867253.tif 000021
【図２１】
0005867253.tif 000022
【図２２】
0005867253.tif 000023
【図２３】
0005867253.tif 000024